(57)【要約】      （修正有）【課題】既存の天井に極力手を加えず簡易に低コストで実施することができる給水管の配管構造及び配管方法を提供する。【解決手段】既存建物Ｂにおける新規給水管の配管構造１であって、供給源２側の壁体Ｗ内から天井裏Ｃまで立ち上がる一次側立上管１０と、設備機器側の壁体内から天井裏Ｃまで立ち上がる二次側立上管と、天井裏Ｃに横引きされて一次側立上管１０及び二次側立上管と連絡された横引管３０と、一次側立上管１０と横引管３０との連絡部近傍の天井面と二次側立上管と横引管３０との連絡部近傍の天井面とに設けられた天井点検口１１と、を備える。【選択図】図１
2014020159.tif 000002
【特許請求の範囲】
【請求項１】
既存建物における新規給水管の配管構造であって、
供給源側の壁体内から天井裏まで立ち上がる一次側立上管と、
設備機器側の壁体内から天井裏まで立ち上がる二次側立上管と、
天井裏に横引きされて前記一次側立上管及び前記二次側立上管と連絡された横引管と、
前記一次側立上管と横引管との連絡部近傍の天井面と前記二次側立上管と横引管との連絡部近傍の天井面とに設けられた天井点検口と、
を備える、
配管構造。
【請求項２】
前記横引管は、通水時及び通水停止時に発生する振動又は蛇行を抑制するための被覆管によって被覆されている、
請求項１に記載の配管構造。
【請求項３】
前記横引管は、天井裏に転がし配管されている、
請求項１又は２に記載の配管構造。
【請求項４】
前記立上管及び前記横引管は、前記天井点検口近傍で接続されている、
請求項１から３の何れか一項に記載の配管構造。
【請求項５】
既存建物における新規給水管の配管方法であって、
供給源側の壁体内から天井裏まで一次側立上管を立ち上げる工程と、
設備機器側の壁体内から天井裏まで二次側立上管を立ち上げる工程と、
前記一次側立上管と横引管との接続部近傍の天井面と前記二次側立上管と横引管との接続部近傍の天井面とに天井点検口を設ける工程と、
前記天井点検口を利用して前記横引管を天井裏に横引きするとともに前記横引管を前記一次側立上管及び前記二次側立上管に接続する工程と、
を含む、
配管方法。
【請求項６】
前記横引管を、通水時及び通水停止時の振動又は蛇行を抑制するための被覆管で被覆する工程を更に含む、
請求項５に記載の配管方法。
【発明の詳細な説明】
【技術分野】
【０００１】
本発明は、既存建物における新規給水管の配管構造及び配管方法に関する。
【背景技術】
【０００２】
現在、既存建物の内部で給水管や給湯管を後施工する場合（例えば、キッチンセット等の設備機器の移動や増設を伴うリフォーム工事を行う場合等）には、以下の特許文献１に記載されているように、配管固定サドルを規定間隔に配置し、これら配管固定サドルを介して配管を下地に固定していた。
【先行技術文献】
【特許文献】
【０００３】
【特許文献１】特開平１０−３３２０４３号公報
【発明の概要】
【発明が解決しようとする課題】
【０００４】
しかし、特許文献１に記載された技術においては、規定間隔ごとに既存天井を開口する必要があるため、プランにより天井を開口できない場合や、床下や基礎外周を経由して配管するものの配管経路上に床下点検口が無かったり玄関ポーチ等が有る場合には、配管施工が難しいという問題があった。なお、給湯管を後施工する場合は、新しく設置される設備機器の近くに給湯器を追加して２ＷＡＹ給湯にする方法もあるが、高コストになるという問題がある。
【０００５】
本発明は、かかる事情に鑑みてなされたものであり、既存の天井に極力手を加えず簡易に低コストで実施することができる給水管の配管構造及び配管方法を提供することを目的とする。
【課題を解決するための手段】
【０００６】
前記目的を達成するため、本発明に係る配管構造は、既存建物における新規給水管の配管構造であって、供給源側の壁体内から天井裏まで立ち上がる一次側立上管と、設備機器側の壁体内から天井裏まで立ち上がる二次側立上管と、天井裏に横引きされて一次側立上管及び二次側立上管と連絡された横引管と、一次側立上管と横引管との連絡部近傍の天井面と二次側立上管と横引管との連絡部近傍の天井面とに設けられた天井点検口と、を備えるものである。
【０００７】
また、本発明に係る配管方法は、既存建物における新規給水管の配管方法であって、供給源側の壁体内から天井裏まで一次側立上管を立ち上げる工程と、設備機器側の壁体内から天井裏まで二次側立上管を立ち上げる工程と、一次側立上管と横引管との接続部近傍の天井面と二次側立上管と横引管との接続部近傍の天井面とに天井点検口を設ける工程と、天井点検口を利用して横引管を天井裏に横引きするとともに横引管を一次側立上管及び二次側立上管に接続する工程と、を含むものである。
【０００８】
かかる構成及び方法を採用すると、天井に二箇所の天井点検口を設けるだけで給水管の配管工事ができるので、手間やコストを削減することができる。
【０００９】
本発明に係る配管構造（配管方法）において、通水時及び通水停止時に発生する振動又は蛇行を抑制するための被覆管によって横引管を被覆することが好ましい。
【００１０】
かかる構成（方法）を採用すると、横引管を被覆管で被覆することにより、通水時及び通水停止時の振動や蛇行を抑制することができ、釘等の干渉物から横引管を保護することができる。
【００１１】
また、本発明に係る配管構造において、横引管を天井裏に転がし配管することができる。
【００１２】
かかる構成を採用すると、横引管を天井裏に転がし配管することにより、比較的短い距離で簡単に配管することができる。
【００１３】
また、本発明に係る配管構造において、立上管及び横引管を、天井点検口近傍で接続することができる。
【００１４】
かかる構成を採用すると、立上管と横引管とを天井点検口近傍で（例えば管継手やヘッダーを介して）接続しているので、次回以降の改修時の施工（分岐配管や延長配管）が容易となる。
【発明の効果】
【００１５】
本発明によれば、既存の天井に極力手を加えず簡易に低コストで実施することができる給水管の配管構造及び配管方法を提供することが可能となる。
【図面の簡単な説明】
【００１６】
【図１】本発明の実施形態に係る配管構造を適用した建物の既存給湯器側の一部断面図である。
【図２】本発明の実施形態に係る配管構造を適用した建物の設備機器側に設けられた天井点検口等の平面図である。
【図３】図２のIII-III部分の断面図である。
【図４】図３のIV-IV部分の断面図である。
【図５】管継手及び天井点検口の変形例を示す平面図である。
【発明を実施するための形態】
【００１７】
以下、図面を参照して、本発明の実施形態について説明する。なお、以下の実施形態はあくまでも好適な適用例であって、本発明の適用範囲がこれに限定されるものではない。
【００１８】
まず、図１〜図４を用いて、本発明の実施形態に係る配管構造１について説明する。なお、図１に示すように、本実施形態に係る配管構造１が適用される建物Ｂは、鉄骨造の軸組みとＡＬＣパネルＰとからなる外壁・床を有する既築住宅であり、改装により、キッチンセット等の給水管（温水を供給する給湯管を含む）の接続が必要な設備機器を従来設置されていなかった場所に設置（移動又は新設）するものとする。また、供給源となる既存給湯器２の位置と、設備機器の位置と、は離隔しているものとする。
【００１９】
本実施形態に係る配管構造１は、既存給湯器２側の外周壁Ｗの内部から天井裏Ｃまで立ち上がる一次側立上管１０（図１）と、図示されていない設備機器側の壁体内から天井裏Ｃまで立ち上がる二次側立上管２０（図２、図４）と、天井裏Ｃに横引きされて一次側立上管１０及び二次側立上管２０と連絡された横引管３０（図１）と、を備えるものである。
【００２０】
図１に示すように、既存給湯器２近傍の外周壁Ｗ（供給源側壁体）の内部には、一端１０ａが既存給湯器２に接続された一次側立上管１０が天井裏Ｃまで立上げられている。一次側立上管１０は可撓性を有する架橋ポリエチレン管からなるものであり、保護管の内部に収容されている。保護管は、合成樹脂製の波状管からなり、可撓性を有している。一次側立上管１０は、外周壁Ｗの室内側壁（石膏ボードと仕上げの壁クロスからなる側壁）を部分的に剥がして配管されており、室内側壁は配管後に復旧されている。
【００２１】
一次側立上管１０の他端（上側端部）１０ｂの近傍には、図１に示すように、天井点検口１１が新設されている。そして、天井点検口１１には、容易に取り外せる（又は開閉できる）蓋１２が取り付けられている。また、天井裏Ｃの上階床Ｐの下面には、サドル１３が取り付けられており、サドル１３を介して供給源側管継手１４が上階床Ｐの下面に固定されている。供給源側管継手１４の一端には一次側立上管１０の他端が接続されており、供給源側管継手１４の他端には横引管３０の一端が接続されている。一次側立上管１０及び横引管３０は、図１に示すように、天井点検口１１近傍で接続されることとなる。
【００２２】
設備機器近傍の外周壁（設備機器側壁体）の内部には、一端が給水栓に接続された二次側立上管２０が立上げられている。二次側立上管２０の他の構成は、一次側立上管１０の構成に準ずるものとする。二次側立上管２０の他端（上側端部）２０ｂの近傍には、図２〜図４に示すように、天井点検口２１が新設されている。天井裏Ｃの上階床Ｐの下面にはサドル２３が取り付けられており、サドル２３を介して設備機器側管継手２４が上階床Ｐの下面に固定されている。設備機器側管継手２４の設備機器側の複数の接続端部には、複数の二次側立上管２０の他端２０ｂが各々接続されている。また、図示されていないが、供給源側管継手１４の供給源側の接続端部には、横引管３０の一端が接続される。二次側立上管２０及び横引管３０は、図２〜図４に示すように、天井点検口２１近傍で接続されることとなる。
【００２３】
横引管３０は、一次側立上管１０及び二次側立上管２０と同一の構成である。横引管３０は、保護管（ＣＤ管やＰＦ管）に収容された状態で、保護管もろとも、金属製可撓電線管（プリカチューブ）からなる被覆管に収容されている。被覆管は、通水時及び通水停止時に発生する横引管３０の振動又は蛇行を抑制するためのものである。横引管３０の中間部は、野縁材と梁の間の隙間を利用して天井裏Ｃに転がし配管されている。
【００２４】
次に、本実施形態に係る配管方法について説明する。
【００２５】
まず、既存給湯器２（供給源）側の外周壁Ｗの内部から天井裏Ｃまで一次側立上管１０を立ち上げる（一次管立上工程）とともに、設備機器側の外周壁の内部から天井裏Ｃまで二次側立上管２０を立ち上げる（二次管立上工程）。次いで、一次側立上管１０と横引管３０との接続部近傍の天井面と、二次側立上管２０と横引管３０との接続部近傍の天井面と、に天井点検口１１、２１を設ける（天井点検口新設工程）。次いで、天井点検口１１、２１を利用して横引管３０を天井裏Ｃに横引きするとともに、横引管３０を一次側立上管１０及び二次側立上管２０に接続する（管接続工程）。なお、本実施形態においては、横引管３０を、通水時及び通水停止時の振動又は蛇行を抑制するための被覆管で予め被覆しておく（管被覆工程）。
【００２６】
以上説明した実施形態に係る配管構造１（配管方法）においては、天井に二箇所の天井点検口１１、２１を設けるだけで給水管の配管工事ができるので、手間やコストを削減することができる。
【００２７】
また、以上説明した実施形態に係る配管構造１（配管方法）においては、横引管３０を被覆管で被覆することにより、通水時及び通水停止時の振動や蛇行を抑制することができ、釘等の干渉物から横引管３０を保護することができる。
【００２８】
また、以上説明した実施形態に係る配管構造１（配管方法）においては、横引管３０を天井裏Ｃに転がし配管することにより、比較的短い距離で簡単に配管することができる。
【００２９】
また、以上説明した実施形態に係る配管構造１（配管方法）においては、一次側立上管１０と横引管３０とを天井点検口１１近傍で、二次側立上管２０と横引管３０とを天井点検口２１近傍で、管継手１４、２４を介して各々接続しているので、次回以降の改修時の施工（分岐配管や延長配管）が容易となる。
【００３０】
なお、以上の実施形態においては、供給源側管継手１４を介して一次側立上管１０と横引管３０とを接続した例を示したが、一次側立上管１０と横引管３０とを繋ぎ目のない連続的な管で構成してもよい。同様に、二次側立上管２０と横引管３０とを繋ぎ目のない連続的な管で構成することもできる。すなわち、本発明における「連絡」とは、２本の管を繋いだ非連続的なものだけではなく、繋ぎ目のない連続的なものをも含む概念である。
【００３１】
また、以上の実施形態においては、横引管３０を天井裏Ｃに転がし配管した例を示したが、吊下具等を使用して上階床Ｐの下面に横引管３０を吊り下げることもできる。すなわち、本発明における「横引き」とは、管を天井裏Ｃに転がしたり梁ウェブに通したりすることだけでなく、上階床Ｐの下面に管を吊り下げることをも含む概念である。
【００３２】
また、以上の実施形態においては、平面視矩形状の天井点検口２１を採用した例を示したが、天井点検口の平面形状はこれに限られるものではない。例えば図５に示すように、平面視楕円形状の天井点検口２１Ａを採用することもできる。また、以上の実施形態においては、６本の二次側立上管２０と１本の横引管３０とを接続させる設備機器側管継手２４を採用した例を示したが、管継手の構造は、二次側立上管２０の本数等に応じて適宜変更することができる。例えば図５に示すように、３本の二次側立上管２０Ａと１本の（図示されていない）横引管とを接続させる設備機器側管継手２４Ａを採用することができる。
【００３３】
本発明は、以上の実施形態に限定されるものではなく、この実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００３４】
１…配管構造
２…既存給湯器（供給源）
１０…一次側立上管
１１…天井点検口
２０…二次側立上管
２１…天井点検口
３０…横引管
Ｂ…建物
Ｃ…天井裏
Ｗ…外周壁
【図１】
2014020159.tif 000003
【図２】
2014020159.tif 000004
【図３】
2014020159.tif 000005
【図４】
2014020159.tif 000006
【図５】
2014020159.tif 000007